(57)【要約】特に天然石のブロックの切断に適切であり、鋼または他の適切な材料から作られる線状切刃（１０）が、限定された厚さを有しヘッドの近位に貫通穴（１８）が設けられたストリップ状本体（１２）を具備し、対向する側または面に垂直および／または斜めの展開を有する溝（１６）が任意に設けられ、直線状であり該本体（１２）の下部縁（１４）に平行に延在する少なくとも１つの溝付下降（２０）が対向する側または面の少なくとも一方に設けられる。
2004501794.tif 000002
【特許請求の範囲】
【請求項１】
特に天然石のブロックの切断に適切であり、鋼または他の適切な材料から作られ、対向する側または面および下部縁（１４）を有し該対向する側または面に垂直および／または斜めの展開を有する溝（１６）が任意に設けられたストリップ状本体（１２）を具備する線状切刃（１０）であって、該対向する側または面の少なくとも一方に、直線状であり該下部縁（１４）に平行に延在する少なくとも１つの溝付下降（２０）が設けられることを特徴とする線状切刃（１０）。
【請求項２】
前記対向する側または面の少なくとも一方に、２つまたは３つの溝付下降（２０）が設けられることを特徴とする請求項１に記載の線状切刃。
【請求項３】
前記溝付下降（２０）が、それぞれ等距離であり、互いに且つ前記下部縁（１４）に対して平行であり、１０〜２０ｍｍ間の長さで間隔をおかれることを特徴とする請求項２に記載の線状切刃。
【請求項４】
前記対向する側または面の両方に、少なくとも１つの溝付下降（２０）が設けられることを特徴とする請求項１乃至３のいずれか１項に記載の線状切刃。
【請求項５】
前記溝付下降（２０）が、前記対向する側または面の両方に設けられ、同一の高さに２つが位置することを特徴とする請求項１乃至４のいずれか１項に記載の線状切刃。
【請求項６】
前記溝付下降（単数／複数）（２０）が、半六角形かまたは半円の形状を有することを特徴とする請求項１乃至５のいずれか１項に記載の線状切刃。
【請求項７】
前記溝付下降（単数／複数）（２０）が、前記垂直溝（１６）に直交して交差することを特徴とする請求項１乃至６のいずれか１項に記載の線状切刃。
【請求項８】
前記溝付下降（単数／複数）（２０）が、前記下部縁（１４）から１０〜２０ｍｍ間の長さで間隔をおかれることを特徴とする請求項１乃至７のいずれか１項に記載の線状切刃。
【請求項９】
前記ストリップ状本体（１２）には、ヘッドの近位に貫通穴（１８）が設けられ、該貫通穴（１８）が、前記下部縁（１４）に対してより高い位置において前記本体（１２）に得られた前記溝付下降（２０）から少なくとも５ｍｍに等しい長さで間隔をおかれることを特徴とする請求項１乃至８のいずれか１項に記載の線状切刃。
【請求項１０】
前記溝付下降（２０）が、ローラーでホットラミネートすることによって得られることを特徴とする請求項１乃至９のいずれか１項に記載の線状切刃。
【発明の詳細な説明】
【０００１】
（技術分野）
本発明は線状切刃に関する。より詳細には、本発明は、予め固定され且つ均一の厚さを有するスラブを得るために、特に天然石のブロックを切断するのに適切な金属切刃に関する。
【０００２】
（背景技術）
公知のように、たとえば花崗岩および大理石からの石ブロックは、切断操作を受け、これらの操作には直線的な展開を有する特別な金属刃が使用される。上記刃は、一般に炭素鋼から作られ、切断されるブロックの露出された上部面の１つに平行な水平平面に沿った往復運動でそれらを取り扱う適切な機械に連結されたフレームに装着される。各フレームは多くの刃を有し、互いに整列配置され、獲得されるスラブの厚さにしたがって適切な間隔で配置される。
【０００３】
一般にラミネーションによって得られる刃のサイズは、フレームおよび切断される石ブロックの拡張部にしたがって、特に長さに関連して、変動する。したがって、たとえば長さが３，５００〜５，０００ｍｍ間のときには、たとえば配向のために、刃の厚さは４〜５ｍｍに制限され、一方その高さは５０〜１５０ｍｍの間である。
【０００４】
対向するヘッドに対応して、刃には、取扱フレームへ固定するための貫通穴が設けられ、通常、両面に、石ブロックを漸次切開し切断を容易にする研磨金属粒子を下降させこれを支持するのに適切な溝を有する。
【０００５】
公知の刃の主な欠点は、切断すべきブロックに当たる下部縁に沿って発生する磨耗に関連するものである。上記縁は、実際、漸次摩滅し、磨耗カーブゾーンを発生し、これが元々の直線性を著しく変える。そのようなカーブゾーンの端に対応して、不規則な形状を有する歯または拡張部が形成され、これは、刃を使用し続けるために除去されなければならない。
【０００６】
上記歯の除去は、従来、劣化した刃部分を収容するのに適切なキャビティを底端に有するレバー状ツールを使用して、ハンディクラフトおよび手動方法で、行われる。上記部分は、ひとたびキャビティ内に挿入されると、ツールの上方運動または下方運動で割れる。しかし、そのようにして得られた破損は、一般に不正確であり、時として拡張した破損線が発生することもあり、それによってその後、刃は使用不可能になる。あまり基本的ではない方法によると、手動作動される打抜切断工具とも呼ばれる油圧装置も使用される。これらの油圧装置を使用することによって、除去すべき刃のゾーンをより良好に囲むことができ、刃を回復できないほど劣化させる危険を実質的に防止する。
【０００７】
他の公知の解決法は、アーチ形傾向を有し互いに重ね合わされた、形状づけられたまたは曲線の刻印または刻み目を、切刃に設けることから構成される。これらの刻印または刻み目は、冷圧によって得られ、磨耗刃ゾーンに対応して実現される。これは、切断するべき石ブロックの長さにしたがって位置決めおよび展開を予めしっかり固定する必要性を含む。このようにして得られた曲線の刻み目によって、磨耗カーブの歯の除去が容易になり、それらが除去すべき刃ゾーンの予めの刻印を形成し、上記刃が不規則に割れる危険を防止する。
【０００８】
しかし、この解決法もまた欠点がないわけではなく、第１の欠点は、その刻み目が存在することから起こる。事実、これらの刻み目は、刃の所与の部分に沿って予め形成されており、すなわち、切断中に形成する磨耗曲線ゾーンにしたがっている。
【０００９】
したがって、得られた刻み目は、決定されたブロック用のみに刃を使うことを可能にし、特に、曲線の刻み目の長さよりも短い長さを有するブロックの場合に可能である。したがって、ブロックの長さが増大する場合は、より拡張した刻み目を有する刃を使用する必要がある。
【００１０】
この公知の解決法のさらなる欠点は、刃から磨耗カーブの歯を除去する操作が、予め形成された曲線の刻み目に従って実行される操作であるが、直線的ではなく上記刻み目の傾向に対応する縁を獲得させることである。したがって、そのように回復された刃は、たとえ下部縁が傷ついていないように見え直線的に延在していようとも、同一の刃の元々の形態とは著しく異なり、結果として、回復された刃によって実施される切断操作は、元々の刃によって実施される切断操作よりも困難になる。
【００１１】
（発明の開示）
本発明の目的は、上記欠点を回避することである。より詳細には、本発明の目的は、特に石ブロックを切断するのに適切であり、その下部縁のいずれかのゾーンから、磨耗ゾーンにしたがって幾分拡張した部分を、カーブの前および／または後ろでも同じように、容易に且つ正確に除去することができる線状切刃を提供することである。
【００１２】
本発明のさらなる目的は、上記に規定されたような、磨耗ゾーンの歯を排除するだけではなく、同時に下部縁の元々の直線性を回復することもできる刃を提供することである。
【００１３】
また、本発明のさらなる目的は、最適な方法で、石ブロックの切断線に沿って研磨金属粒子または研磨混合物を分布することができる刃を提供することである。
【００１４】
本発明の別のさらなる目的は、使用中の高レベルの抵抗および信頼度を確実にするのに適切であり、また、容易に且つ経済的に実現することができるような切刃を提供することである。
【００１５】
本発明によると、これらの目的および他の目的は、鋼または他の適切な材料から得られ、特に天然石ブロックを切断するのに適切であり、対向する側または面および下部縁を有し対向する側または面に垂直および／または斜めの展開を有する溝が任意に設けられたストリップ状本体を具備する線状切刃であって、上記対向する側または面の少なくとも一方に、直線状であり下部縁に平行に延在する少なくとも１つの溝付下降が設けられる線状切刃によって達成される。
【００１６】
好ましくは、対向する側または面の両方に、同一の高さに２つが位置する直線状の溝付下降を設けることができる。
【００１７】
各側または面の溝付下降の数は重要ではなく、たとえば、２つ、３つまたはそれ以上に変動することができる。
【００１８】
各溝付下降の形状または断面は重要ではなく、変動することができるが、好ましくは、形状は半六角形かまたは半円である。
【００１９】
本発明の線状切刃の構造的および機能的特性は、下記の説明からより良好に理解され、本発明の好適且つ非限定的な実施態様を表す添付図面の図が参照される。
【００２０】
（発明を実施するための最良の形態）
前述の図面を参照して、図１に全体的として１０で示される本発明の線状切刃は、たとえば３〜６ｍｍ間の限定された厚さを有し、好ましくは炭素鋼から得られるストリップ状本体１２から構成される。
【００２１】
図示された好適な実施態様の上記刃１０は、両側によって画成された矩形形状を備えた直線的な展開を有し、石ブロックに当たるように意図された下部縁１４が設けられ、上記刃が付け加えられる機械のフレームによる上記刃に課される往復運動によって、石ブロックを漸次切開する。
【００２２】
刃１０の本体１２の両側または両面には、溝１６が設けられることが好ましく、溝１６は一例として垂直に配向され、本体１２の高さ全体に延在し、互いから等距離である。
【００２３】
上記溝１６は、実質的に矩形形状および限られた深さを有し、金属または研磨混合物の粒子を下部縁１４へ向けて運ぶための多くのチャネルを形成する。
【００２４】
チャネル１６は、図１および３に示されるように、本体１２の両側で互いに交替することが有利である。上記本体１２には、各ヘッドの近位に、図３に示されるように、刃１０を切断機械（図示せず）の可動式フレームへ結びつけ、且つ張力をかけるための貫通穴１８が設けられる。
【００２５】
本発明の特徴によると、本体１２の片側にまたは両側に沿って、直線的に、且つ下部縁１４に平行に延在して上記本体１２の長手方向展開全体を含む少なくとも１つの溝付下降２０が形成される。
【００２６】
上記溝付下降２０は、下部縁１４の近位に得られ、すべての垂直に展開する溝１６に直交して交差する。溝付下降２０は、縁１４に平行に走り、たとえば１０〜２０ｍｍ間の長さによって上記縁１４から一定間隔で配置される。これは、刃１０の形成中に、ローラーでホットラミネートすることによって得られることが好ましい。
【００２７】
図１および２は、両面に２つの平行且つ等距離の溝付下降２０が設けられた切刃１０を示し、その形状は、実質的に半六角形である。しかし、図３および４に示されるように、上記溝付下降２０の数およびその形状の構成は、変動してもよい。
【００２８】
これらの図面は、３つの溝付下降２０が設けられた刃１０の本体１２を示し、上記本体の両面に得られる。上記溝付下降２０の形状は、好ましくは互いから等距離に配列され、実質的に半円である。
【００２９】
同じ高さで２つが位置する溝付下降２０を本体１２の両面に具備する実施態様が有利であると考えられるが、上記溝付下降２０の存在を刃１０の本体１２の前部または面の一つのみに限定する可能性が排除されるものではない。溝付下降２０の数によると、刃の組み立て用の穴１８は、異なる高さに位置してもよい。上記穴１８は、少なくとも５ｍｍに等しい距離を上部部分に配列された溝付下降２０から離れることが好ましい。
【００３０】
溝付下降２０は、多くの水平に展開され、重ね合わされた予め刻印された線を形成することによって、且つセクターで使用される従来のツールによって、刃１０の下部縁１４の直線性を容易に回復することができる。
【００３１】
磨耗が上記縁に端歯で磨耗したカーブを形成させるときには、下部レベルに配列された溝付下降２０にカーブが達する前に、磨耗したゾーンが除去される。溝付下降２０は、予め刻印されており、図１の２２によって示されるように、刃１０の様々な部分またはセクターを次々と正確に割ることができ、このようにして下部縁１４に沿って直線性を回復する。
【００３２】
先に作動した石ブロックの長さよりも大きい長さを有する石ブロック用に、全体が回復された切刃１０の再使用の可能性も特に有利であり、すべてのセクター２２を除去することが可能であり、または、形成された磨耗したカーブの前部および後部に位置する未だ損なわれていない少なくともいくつかのセクターを除去することが可能である。実際に、上記セクター２２の除去は、獲得したいと思う線状刃先の長さに依存して、モジュール方式であってもよい。上記から、本発明によって達成される利点は明らかである。
【００３３】
本発明の切刃は、溝付下降２０が存在するおかげで、下部縁１４の直線性を容易に且つ正確に回復することが可能であり、それによって一定の切断精度を確実にする。回復は、刃１０の本体１２に設けられた溝付下降２０の数に依存して、繰り返して実施することができ、ユーザには顕著な経済的な利点である。
【００３４】
溝付下降２０の存在は、磨耗した縁の直線性を回復するのを可能にするだけではなく、垂直溝１６へ接続される運搬チャネルと同一の溝付下降が作用するときに、作業されている石ブロックに沿って研磨混合物の最適な線状分布を生じさせる。
【００３５】
本発明は、特定の実施態様に関連して説明されているが、前述の説明に照らして、多くの代替例および変形例が当業者に理解されることは明らかである。したがって、本発明は添付の特許請求の範囲の精神および範囲に入るすべての代替例および変形例を含むことが意図される。
【図面の簡単な説明】
【図１】
図１は、本発明の切刃の概略部分側面図である。
【図２】
図２は、図１の切刃の概略拡大断面図である。
【図３】
図３は、変形例による本発明の切刃の概略部分側面図である。
【図４】
図４は、図３の切刃の概略拡大断面図である。
【国際公開パンフレット】
2004501794.tif 000003
2004501794.tif 000004
2004501794.tif 000005
2004501794.tif 000006
2004501794.tif 000007
2004501794.tif 000008
2004501794.tif 000009
2004501794.tif 000010
2004501794.tif 000011
2004501794.tif 000012
2004501794.tif 000013
2004501794.tif 000014
2004501794.tif 000015
【手続補正書】
【提出日】平成14年6月17日(2002.6.17)
【手続補正１】
【補正対象書類名】明細書
【補正対象項目名】請求項１
【補正方法】変更
【補正の内容】
【請求項１】
天然石のブロックの切断に使用され、鋼または他の適切な材料から作られ、対向する側または面および下部縁（１４）を有し該対向する側または面に垂直および／または斜めの展開を有する溝（１６）が任意に設けられたストリップ状本体（１２）を具備する線状切刃（１０）であって、該対向する側または面の少なくとも一方に、直線状であり該下部縁（１４）に平行に延在する少なくとも１つの溝付下降（２０）が設けられることを特徴とする線状切刃（１０）。
【手続補正２】
【補正対象書類名】明細書
【補正対象項目名】０００４
【補正方法】変更
【補正の内容】
【０００４】
対向するヘッドに対応して、刃には、取扱フレームへ固定するための貫通穴が設けられ、通常、両面に、石ブロックを漸次切開し切断を容易にする研磨金属粒子を下降させこれを支持するのに適切な溝を有する。両面に横方向溝が設けられた刃は、フランス特許第９２０，６９９号から公知である。




【国際調査報告】
2004501794.tif 000016
2004501794.tif 000017
2004501794.tif 000018